(57)【要約】  本発明の実施形態は、進化型パケット・システムＥＰＳで回線交換ＣＳフォールバックをサポートするための方法であって、前述のサポートは、ＣＳドメイン・サービスにアクセスするために進化型無線アクセス・ネットワークＲＡＮからレガシＲＡＮにユーザ機器ＵＥを移し、前述のＣＳドメイン・サービスの終わりに前述のレガシＲＡＮから前述の進化型ＲＡＮに前述のＵＥを戻すステップと含み、前述のサポートは、前述のレガシＲＡＮに前述のＵＥを移す前に前述の進化型ＲＡＮを通じて前述のＵＥにサービスを提供していたＰＬＭＮにおける前述の進化型ＲＡＮに、前述のＵＥを戻すステップを含む。
2015536107.tif 000002
【特許請求の範囲】
【請求項１】
進化型パケット・システムＥＰＳで回線交換ＣＳフォールバックをサポートするための方法であって、前記サポートは、ＣＳドメイン・サービスにアクセスするために進化型無線アクセス・ネットワークＲＡＮからレガシＲＡＮにユーザ機器ＵＥを移し、前記ＣＳドメイン・サービスの終わりに前記レガシＲＡＮから前記進化型ＲＡＮに前記ＵＥを戻すステップを含み、前記サポートは、前記レガシＲＡＮに前記ＵＥを移す前に前記進化型ＲＡＮを通じて前記ＵＥにサービスを提供していたＰＬＭＮ内の前記進化型ＲＡＮに前記ＵＥを戻すステップを含む、方法。
【請求項２】
−前記ＵＥにサービスを提供する、基地局制御装置ＢＳＣまたは無線ネットワーク制御装置ＲＮＣなどのレガシＲＡＮノードが、前記ＰＬＭＮを識別する情報を取得するステップ
を含む請求項１に記載の方法。
【請求項３】
−前記ＵＥにサービスを提供する、基地局制御装置ＢＳＣまたは無線ネットワーク制御装置ＲＮＣなどのレガシＲＡＮノードが、前記ＣＳドメイン・サービスの終わりに、前記進化型ＲＡＮに前記ＵＥを戻すために、前記ＰＬＭＮを識別する情報を使用するステップ
を含む請求項１または２に記載の方法。
【請求項４】
−ＳＧｓインターフェースを介してＭＳＣ／ＶＬＲと網間接続する移動性管理エンティティＭＭＥなど、ＣＳフォールバックの前記サポートのためにＣＳドメイン・エンティティと網間接続するＥＰＳネットワーク・エンティティが、ＭＳＣ／ＶＬＲなどの前記ＣＳドメイン・エンティティに、前記ＰＬＭＮを識別する情報を提供するステップ
を含む請求項１乃至３のいずれか１項に記載の方法。
【請求項５】
−ＳＧｓインターフェースを介して移動性管理エンティティＭＭＥと網間接続するＭＳＣ／ＶＬＲなど、ＣＳフォールバックの前記サポートのためにＥＰＳネットワーク・エンティティと網間接続するＣＳドメイン・エンティティが、前記ＣＳドメイン・サービスを固定および制御するＭＳＣ／ＶＬＲなどのＣＳドメイン・エンティティに、前記ＰＬＭＮを識別する情報を提供するステップ
を含む請求項１乃至４のいずれか１項に記載の方法。
【請求項６】
−ＳＧｓインターフェースを介して移動性管理エンティティＭＭＥと網間接続するＭＳＣ／ＶＬＲなど、ＣＳフォールバックの前記サポートのためにＥＰＳネットワーク・エンティティと網間接続するＣＳドメイン・エンティティが、前記ＣＳドメイン・サービスを固定および制御するＭＳＣ／ＶＬＲなどのＣＳドメイン・エンティティに、前記ＰＬＭＮを識別する情報をローカルで渡すステップ
を含む請求項１乃至５のいずれか１項に記載の方法。
【請求項７】
−前記ＣＳドメイン・サービスを固定および制御するＭＳＣ／ＶＬＲなどＣＳドメイン・エンティティが、前記ＰＬＭＮを識別する情報を格納するステップ
を含む請求項１乃至６のいずれか１項に記載の方法。
【請求項８】
−前記ＣＳドメイン・サービスを固定および制御するＭＳＣ／ＶＬＲなどのＣＳドメイン・エンティティが、基地局制御装置に送信されるＢＳＳＭＡＰクリア・コマンドまたは無線ネットワーク制御装置ＲＮＣに送信されるＲＡＮＡＰ  Ｉｕ解放コマンドなど、リソースを解放するための要求などのメッセージで、前記ＣＳドメイン・サービスの終わりに、前記ＵＥにサービスを提供する基地局制御装置ＢＳＣまたは無線ネットワーク制御装置ＲＮＣなどレガシＲＡＮノードに、前記ＰＬＭＮを識別する情報を送信するステップ
を含む請求項１乃至７のいずれか１項に記載の方法。
【請求項９】
−前記ＣＳドメイン・サービスを固定および制御するＭＳＣ／ＶＬＲなどのＣＳドメイン・エンティティが、次のＣＳドメイン・エンティティ間ハンドオーバの間に、ＵＥをサポートするレガシ・ターゲットＲＡＮノードにサービスを提供するＭＳＣ／ＶＬＲなど、ターゲットＣＳドメイン・エンティティに、前記ＰＬＭＮを識別する情報を転送するステップ
を含む請求項１乃至７のいずれか１項に記載の方法。
【請求項１０】
−前記ＵＥが、前記ＰＬＭＮを識別する情報を含む、モバイル発信ＭＯサービスもしくはモバイル終端ＭＴサービスの場合のロケーション・エリア更新、またはモバイル発信ＭＯサービスの場合のＣＭサービス要求など、前記ＣＳドメイン・サービスのセットアップの前に前記ＵＥによって送信されたＮＡＳシグナリング・メッセージで、前記ＣＳドメイン・サービスを固定および制御するＭＳＣ／ＶＬＲなどのＣＳドメイン・エンティティに送信するステップ
を含む請求項１乃至９のいずれか１項に記載の方法。
【請求項１１】
−ＳＧｓインターフェースを介して移動性管理エンティティＭＭＥと網間接続するＭＳＣ／ＶＬＲなど、ＣＳフォールバックの前記サポートのためにＥＰＳネットワーク・エンティティと網間接続するＣＳドメイン・エンティティが、モバイル発信ＭＯ呼について、ロケーション・エリア更新手順の間に送信されたＭＡＰ送信識別応答などで、ＣＳドメイン・エンティティ間シグナリングを介して、前記ＣＳドメイン・サービスを固定および制御するＭＳＣ／ＶＬＲなどＣＳドメイン・エンティティに、前記ＰＬＭＮを識別する情報を提供するステップ
を含む請求項１乃至１０のいずれか１項に記載の方法。
【請求項１２】
−ＳＧｓインターフェースを介して移動性管理エンティティＭＭＥと網間接続するＭＳＣ／ＶＬＲなど、ＣＳフォールバックの前記サポートのためにＥＰＳネットワーク・エンティティと網間接続するＣＳドメイン・エンティティが、モバイル終端ＭＴ呼の場合に、モバイル終端ローミング転送ＭＴＲＦ手順の間に送信されたＭＡＰ提供ローミング番号要求などで、ＣＳドメイン・エンティティ間シグナリングを介して、前記ＣＳドメイン・サービスを固定および制御するＭＳＣ／ＶＬＲなどのＣＳドメイン・エンティティに、前記ＰＬＭＮを識別する情報を提供するステップ
を含む請求項１乃至１１のいずれか１項に記載の方法。
【請求項１３】
−ＳＧｓインターフェースを介してＭＳＣ／ＶＬＲと網間接続する移動性管理エンティティＭＭＥなど、ＣＳフォールバックの前記サポートのためにＣＳドメイン・エンティティと網間接続するＥＰＳネットワーク・エンティティが、前記進化型ＲＡＮを通じて前記ＵＥにサービスを提供する前記ＰＬＭＮが変化する場合、ＭＳＣ／ＶＬＲなど前記ＣＳドメイン・エンティティに向けて位置更新要求を発行するステップ
を含む請求項１乃至１２のいずれか１項に記載の方法。
【請求項１４】
−前記ＵＥが、ＲＲＣ接続確立手順の間など、前記ＣＳドメイン・サービスのセットアップの前に、前記ＵＥによって送信されたＡＳシグナリング・メッセージで、ＣＳＦＢ手順を伴うＣＳドメイン・サービスの間に前記ＵＥにサービスを提供する、基地局制御装置ＢＳＣまたは無線ネットワーク制御装置ＲＮＣなど、レガシＲＡＮノードに、前記ＰＬＭＮを識別する情報を送信するステップ
を含む請求項１乃至１３のいずれか１項に記載の方法。
【請求項１５】
−前記ＵＥにサービスを提供する、基地局制御装置ＢＳＣまたは無線ネットワーク制御装置ＲＮＣなどレガシＲＡＮノードが、前記ＣＳドメイン・サービスの終わりに、前記ＰＬＭＮを識別する情報を使用して、基地局制御装置によって送信されたＲＲチャネル解放メッセージまたは無線ネットワーク制御装置によって送信されたＲＲＣ接続解放メッセージなど無線リソースを解放するための要求などのメッセージで、前記ＰＬＭＮに前記ＵＥをリダイレクトする命令を前記ＵＥに提供するステップ
を含む請求項１乃至１４のいずれか１項に記載の方法。
【請求項１６】
−前記ＵＥにサービスを提供する基地局制御装置ＢＳＣまたは無線ネットワーク制御装置ＲＮＣなどのレガシＲＡＮノードが、前記ＣＳドメイン・サービスの終わりに、ＲＲＣ接続を解放する前に基地局制御装置によって送信されたＲＲチャネル解放メッセージの個々の優先度などの情報要素、または無線ネットワーク制御装置によって送信されたＲＲＣ接続解放メッセージのリダイレクション情報、または無線ネットワーク制御装置によって送信されたＲＲＣ  ＵＴＲＡＮ移動性情報メッセージの専用の優先情報を介して、前記ＰＬＭＮの識別情報を提供する情報で拡張される可能性がある、前記ＵＥが前記ＰＬＭＮにおいてキャンプを試みるべき目標周波数を前記ＵＥに提供するステップ
を含む請求項１乃至１５のいずれか１項に記載の方法。
【請求項１７】
ＣＳドメイン・サービスにアクセスするために回線交換フォールバックＣＳＦＢ手順がＧＥＲＡＮまたはＵＴＲＡＮにユーザ機器ＵＥを移す前にＥ−ＵＴＲＡＮを通じて前記ＵＥにサービスを提供していたＰＬＭＮ内のＥ−ＵＴＲＡＮに、前記ＣＳドメイン・サービスの終わりに、前記ＵＥを戻すステップをサポートするように構成された、ＧＥＲＡＮまたはＵＴＲＡＮのノード。
【請求項１８】
−前記ＰＬＭＮを識別する情報を取得する
ように構成された請求項１７に記載のＧＥＲＡＮまたはＵＴＲＡＮのノード。
【請求項１９】
−前記Ｅ−ＵＴＲＡＮに前記ＵＥを戻すために、前記ＰＬＭＮを識別する情報を使用する
ように構成された請求項１７または１８に記載のＧＥＲＡＮまたはＵＴＲＡＮのノード。
【請求項２０】
−ハンドオーバの間にターゲットのＧＥＲＡＮまたはＵＴＲＡＮのノードに、前記ＰＬＭＮを識別する情報を転送する
ように構成された請求項１７乃至１９のいずれか１項に記載のＧＥＲＡＮまたはＵＴＲＡＮのノード。
【請求項２１】
ＳＧｓインターフェースを介してＭＳＣ／ＶＬＲとの網間接続をサポートする管理エンティティＭＭＥであって、ＣＳドメイン・サービスにアクセスするために回線交換フォールバックＣＳＦＢ手順がＧＥＲＡＮまたはＵＴＲＡＮにユーザ機器ＵＥを移す前にＥ−ＵＴＲＡＮを通じて前記ＵＥにサービスを提供していたＰＬＭＮ内のＥ−ＵＴＲＡＮに、前記ＣＳドメイン・サービスの終わりに、前記ＵＥを戻すステップをサポートするように構成されている管理エンティティＭＭＥ。
【請求項２２】
−Ｅ−ＵＴＲＡＮを通じて前記ＵＥにサービスを提供する前記ＰＬＭＮが変化したときに、前記ＭＳＣ／ＶＬＲに向けて位置更新要求を発行する
ように構成された請求項２０または２１に記載のＭＭＥ。
【請求項２３】
ＳＧｓインターフェースを介して移動性管理エンティティＭＭＥとの網間接続をサポートするＭＳＣ／ＶＬＲであって、ＣＳドメイン・サービスにアクセスするために回線交換フォールバックＣＳＦＢ手順がＧＥＲＡＮまたはＵＴＲＡＮ（レガシＲＡＮ）にユーザ機器ＵＥを移す前にＥ−ＵＴＲＡＮを通じて前記ＵＥにサービスを提供していたＰＬＭＮ内のＥ−ＵＴＲＡＮに、前記ＣＳドメイン・サービスの終わりに、前記ＵＥを戻すステップをサポートするように構成されているＭＳＣ／ＶＬＲ。
【請求項２４】
−前記ＣＳドメイン・サービスを固定および制御するＭＳＣ／ＶＬＲに、前記ＰＬＭＮを識別する情報を提供する
ように構成された請求項２３に記載のＭＳＣ／ＶＬＲ。
【請求項２５】
−モバイル発信ＭＯ呼について、ロケーション・エリア更新手順の間に送信されたＭＡＰ送信識別応答で、前記ＣＳドメイン・サービスを固定および制御するＭＳＣ／ＶＬＲに、前記ＰＬＭＮを識別する情報を提供する
ように構成された請求項２３または２４に記載のＭＳＣ／ＶＬＲ。
【請求項２６】
−モバイル終端ＭＴ呼の場合に、モバイル終端ローミング転送ＭＴＲＦ手順の間に送信されたＭＡＰ提供ローミング番号要求で、前記ＣＳドメイン・サービスを固定および制御するＭＳＣ／ＶＬＲに前記ＰＬＭＮを識別する情報を提供する
ように構成された請求項２３または２４に記載のＭＳＣ／ＶＬＲ。
【請求項２７】
−ＲＡＮＡＰ  Ｉｕ解放コマンドで、前記ＣＳドメイン・サービスの終わりに、ＵＴＲＡＮノードに前記ＰＬＭＮを識別する情報を提供する
ように構成された請求項２３乃至２６のいずれか１項に記載のＭＳＣ／ＶＬＲ。
【発明の詳細な説明】
【技術分野】
【０００１】
本発明は、一般的にモバイル通信ネットワークおよびシステムに関する。
【背景技術】
【０００２】
モバイル通信ネットワークおよびシステムの詳細な記述は、特に、たとえば３ＧＰＰ（第３世代パートナーシップ・プロジェクト）などの標準団体によって公開された技術仕様書などの文献において見ることができる。
【０００３】
そのようなシステムでは、モバイル端末（またはユーザ機器ＵＥ：Ｕｓｅｒ  Ｅｑｕｉｐｍｅｎｔ）は、モバイル通信サービスを提供するコア・ネットワーク（ＣＮ：Ｃｏｒｅ  Ｎｅｔｗｏｒｋ）に無線アクセス・ネットワーク（ＲＡＮ：Ｒａｄｉｏ  Ａｃｃｅｓｓ  Ｎｅｔｗｏｒｋ）を介してアクセスする。
【０００４】
たとえば、３ＧＰＰシステムの例として、ＧＳＭ／ＧＰＲＳなどの２Ｇシステム、ＵＭＴＳなどの３Ｇシステム、ＥＰＳ（進化型パケット・システム：Ｅｖｏｌｖｅｄ  Ｐａｃｋｅｔ  Ｓｙｓｔｅｍ）などの４Ｇ−ＬＴＥ（ロング・ターム・エボリューション）システムなどがある。
【０００５】
通信サービスの例として、特にＣＳ（回線交換）ドメインを介して提供される音声サービスなどのＣＳサービス、およびＩＰ接続を提供するＰＳドメインを介して提供されるＩＭＳベースのサービスなどのＩＰベースのサービスなどがある。
【０００６】
２Ｇ／３Ｇシステムなどのレガシ・システムでは、コア・ネットワークはＣＳドメインを含む。たとえばＧＳＭ／ＧＰＲＳまたはＵＭＴＳなどのシステムでは、ＣＳドメインは、ＧＥＲＡＮと呼ばれる無線アクセス・ネットワーク（ＲＡＮ）によって、またはＵＴＲＡＮと呼ばれる無線アクセス・ネットワーク（ＲＡＮ）によってアクセスされる。たとえばＧＳＭ／ＧＰＲＳまたはＵＭＴＳなどのシステムでは、ＣＳドメインは、ＭＳＣ／ＶＬＲなどのエンティティを含む。
【０００７】
これとは反対に、４Ｇ−ＬＴＥシステムなどの進化型システムは、パケットのみのシステムであり、そのコア・ネットワークはＰＳドメインのみを含む。たとえば、ＥＰＳでは、進化型パケット・コア（ＥＰＣ：Ｅｖｏｌｖｅｄ  Ｐａｃｋｅｔ  Ｃｏｒｅ）と呼ばれるコア・ネットワークは、Ｅ−ＵＴＲＡＮと呼ばれる無線アクセス・ネットワーク（ＲＡＮ）によってアクセスされる。たとえば、ＥＰＳでは、ＰＳドメイン（ＥＰＣ）は、制御プレーンにおいて、移動性管理エンティティ（ＭＭＥ：Ｍｏｂｉｌｉｔｙ  Ｍａｎａｇｅｍｅｎｔ  Ｅｎｔｉｔｙ）などのエンティティを含む。
【０００８】
ＥＰＳではＣＳＦＢ（ＣＳフォールバック）と呼ばれる機能が導入され、たとえば、ＩＭＳ音声サービスがサポートされていない場合、ＣＳドメインの再利用によって、Ｅ−ＵＴＲＡＮアクセスからＵＴＲＡＮ／ＧＥＲＡＮ  ＣＳドメイン・アクセスへのフォールバックならびに音声および他のＣＳドメイン・サービスの再利用が可能になる。
【０００９】
ＥＰＳにおけるＣＳＦＢ（ＣＳフォールバック）については、特に３ＧＰＰ  ＴＳ２３．２７２に明示されている。ＥＰＳにおけるＣＳＦＢのアーキテクチャについては、３ＧＰＰ  ＴＳ２３．２７２の図１に記載されている。ＥＰＳにおけるＣＳＦＢでは、ＣＳドメインのＭＳＣ／ＶＬＲとＥＰＣのＭＭＥとの間でＳＧｓインターフェースを使用する。ＳＧｓインターフェースについては、特に３ＧＰＰ  ＴＳ２９．１１８に明示されている。
【先行技術文献】
【非特許文献】
【００１０】
【非特許文献１】３ＧＰＰ  ＴＳ２３．２７２
【非特許文献２】３ＧＰＰ  ＴＳ２９．１１８
【非特許文献３】３ＧＰＰ  ＴＳ２３．０１８
【非特許文献４】３ＧＰＰ  ＴＳ２４．００８
【非特許文献５】３ＧＰＰ  ４８．００８
【非特許文献６】３ＧＰＰ  ２５．４１３
【発明の概要】
【発明が解決しようとする課題】
【００１１】
３ＧＰＰ  ＴＳ２３．２７２によると、ＣＳドメインにおいてＣＳサービスが終了すると、ＵＥをＥ−ＵＴＲＡＮに戻すために既存のメカニズム使用することができ、特定のＣＳフォールバック・メカニズムは必要ではない。しかし、発明者らによって認識され、詳細には後に記述するように、ＵＥをＥ−ＵＴＲＡＮに戻すときに問題が生じる場合があり、これは全体的なシステム・パフォーマンスだけでなくエンド・ユーザの経験に影響する場合がある。そのような問題を解決し、かつ／またはそのような欠点を回避するための新しいメカニズムに対するニーズがある。より一般的には、ＥＰＳにおけるＣＳＦＢなどの機能のサポートを改善するニーズがある。
【００１２】
本発明の実施形態は、特に、そのようなニーズに対処するものである。
【課題を解決するための手段】
【００１３】
これらおよび他の目的は、一態様では、進化型パケット・システムＥＰＳで回線交換ＣＳフォールバックをサポートするための方法によって達成され、前述のサポートは、ＣＳドメイン・サービスにアクセスするために進化型無線アクセス・ネットワークＲＡＮからレガシＲＡＮにユーザ機器ＵＥを移し、前述のＣＳドメイン・サービスの終わりに前述のレガシＲＡＮから前述の進化型ＲＡＮに前述のＵＥを戻すステップを含み、前述のサポートは、前述のレガシＲＡＮに前述のＵＥを移す前に前述の進化型ＲＡＮを通じて前述のＵＥにサービスを提供していたＰＬＭＮ内の前述の進化型ＲＡＮに前述のＵＥを戻すステップを含む。
【００１４】
これらおよび他の目的は、他の態様では、そのような方法を実行するために構成されたモバイル通信システムのエンティティによって達成され、前述のエンティティは、特に（排他的ではないが）以下を含む。
−ユーザ機器ＵＥ
−基地局制御装置（ＢＳＣ：Ｂａｓｅ  Ｓｔａｔｉｏｎ  Ｃｏｎｔｒｏｌｌｅｒ）または無線ネットワーク制御装置（ＲＮＣ：Ｒａｄｉｏ  Ｎｅｔｗｏｒｋ  Ｃｏｎｔｒｏｌｌｅｒ）などのレガシＲＡＮノード
−移動性管理エンティティＭＭＥなどのＥＰＳネットワーク・エンティティ
−ＭＳＣ／ＶＬＲなどのＣＳドメイン・エンティティ
【００１５】
本発明の実施形態による装置および／または方法の一部の実施形態について、例示のみを目的として、添付の図に関して、ここに記述する。
【図面の簡単な説明】
【００１６】
【図１】ＥＰＳにおけるＣＳＦＢ（ＣＳフォールバック）のためのシステム・アーキテクチャを示す図である。
【図２】本発明の実施形態による、簡素化した方法でのＥＰＳにおけるＣＳフォールバックのサポートの例を示す図である。
【図３】本発明の実施形態による、簡素化した方法でのＥＰＳにおけるＣＳフォールバックのサポートの他の例を示す図である。
【図４】本発明の実施形態による、簡素化した方法でのＥＰＳにおけるＣＳフォールバックのサポートの他の例を示す図である。
【図５】本発明の実施形態による、簡素化した方法でのＥＰＳにおけるＣＳフォールバックのサポートの他の例を示す図である。
【発明を実施するための形態】
【００１７】
本発明の実施形態について、ＥＰＳのためのＣＳＦＢ（ＣＳフォールバック）の例を使って、以下により詳細に記述する。しかし、本発明はそのような例に制限されるものではない。
【００１８】
たとえば、ＬＴＥ（つまりＥ−ＵＴＲＡＮ）無線を通じてＶｏＩＰがサポートされない／可能でなく（たとえば、契約またはネットワーク展開に基づいて）、Ｅ−ＵＴＲＡＮを通じてキャンプしているＵＥが、ＣＳドメインを通じてのみ提供できるサービスを必要としている場合（たとえば、ＵＥが音声通話を開始または受信する）、Ｅ−ＵＴＲＡＮからレガシ無線方式（２Ｇ／３Ｇ）へとＵＥをプッシュするＣＳＦＢ（回線交換フォールバック：Ｃｉｒｃｕｉｔ  Ｓｗｉｔｃｈ  Ｆａｌｌ  Ｂａｃｋ）と呼ばれる機能が呼び出され、ここでＵＥは、（ＭＳＣ／ＶＬＲへの）ＣＳドメインにアクセスすることができる。この機能は、３ＧＰＰ  ２３．２７２に規定されている。
【００１９】
ＣＳＦＢメカニズムの一部として
−ＵＥは、ＣＳドメインがサポートされない無線（Ｅ−ＵＴＲＡＮ）を通じてキャンプしているが、Ｅ−ＵＴＲＡＮを通じてＵＥにサービスを提供するＭＭＥは、ＣＳドメインを通じてこのＵＥを登録するためにＭＳＣ／ＶＬＲとのＳＧｓインターフェースを持っている。
−ＣＳＦＢ（回線交換フォールバック）が呼び出されると、ＵＥは、Ｅ−ＵＴＲＡＮからレガシ無線方式（２Ｇ／３Ｇ）へとプッシュされ、ここでＵＥは、（ＭＳＣ／ＶＬＲへの）ＣＳドメインにアクセスできるが、ＵＥがキャンプするレガシ（２Ｇ／３Ｇ）セルは、このＵＥに対するＳＧｓをサポートするのとは別のＭＳＣ／ＶＬＲによってサービスが提供される可能性がある。
−我々は、ＣＳＦＢ手順によってＵＥがレガシ有効範囲にプッシュされた後の、ＣＳドメイン・サービスを制御するＭＳＣ／ＶＬＲを「ＣＳＦＢサービス（コール）を固定（ａｎｃｈｏｒ）および制御するＭＳＣ／ＶＬＲ」と呼ぶ。このＭＳＣ／ＶＬＲは、ＵＥに対するＳＧｓリンクを終端するＭＳＣ／ＶＬＲとは異なる場合がある。
【００２０】
ＣＳドメイン・サービス（たとえば音声通話）が終わると、ＵＥは、そのときにＵＥにサービスを提供するＲＡＮ（ＧＥＲＡＮ、ＵＴＲＡＮ）によってＥ−ＵＴＲＡＮへとプッシュバック（ｐｕｓｈ  ｂａｃｋ）される。この「プッシュバック」は、ＴＳ２３．２７２に詳述されるようなＣＳコールの解放時のＲＲ／ＲＲＣリダイレクションの形をとることができる。以下に例を示す。
【００２１】
ＧＥＲＡＮの場合：ＣＳフォールバックの結果として、ＢＳＣが、ＣＳサービス（呼、ＣＩＳＳ、またはＬＣＳ）が確立されたという指示をＭＳＣから受信した場合、ＢＳＣは、ＣＳサービスの解放時にＥ−ＵＴＲＡＮにＵＥを送るために、たとえば、ＰＲチャネル解放（ＲＲ  ＣＨＡＮＮＥＬ  ＲＥＬＥＡＳＥ）メッセージで個々の優先度（Ｉｎｄｉｖｉｄｕａｌ  Ｐｒｉｏｒｉｔｉｅｓ）の情報要素を使用することを選択することができる。
【００２２】
ＵＴＲＡＮの場合：ＣＳフォールバックの結果として、ＲＮＣが、ＣＳサービス（呼、ＣＩＳＳ、またはＬＣＳ）が確立されたという指示をＭＳＣから受信した場合、ＲＮＣは、ＣＳサービスの解放時にＥ−ＵＴＲＡＮにＵＥを送るため、またはＲＲＣ接続を解放する前に、ＲＲＣ  ＵＴＲＡＮ移動性情報（ＲＲＣ  ＵＴＲＡＮ  Ｍｏｂｉｌｉｔｙ  Ｉｎｆｏｒｍａｔｉｏｎ）メッセージで専用の優先情報（Ｄｅｄｉｃａｔｅｄ  ｐｒｉｏｒｉｔｙ  ｉｎｆｏｒｍａｔｉｏｎ）の情報要素を使用するために、たとえば、リダイレクション情報（Ｒｅｄｉｒｅｃｔｉｏｎ  Ｉｎｆｏ）の情報要素と共にＲＲＣ接続解放（ＲＲＣ  Ｃｏｎｎｅｃｔｉｏｎ  Ｒｅｌｅａｓｅ）を使用することを選択することができる。
【００２３】
例に基づいて簡素化するために、Ｅ−ＵＴＲＡＮにＵＥを戻すときに発生する問題について、以下のように説明することができる。以下に使用するＰＬＭＮという用語は、特に３ＧＰＰ技術仕様書で知られているように、公衆陸上移動通信ネットワーク（Ｐｕｂｌｉｃ  Ｌａｎｄ  Ｍｏｂｉｌｅ  Ｎｅｔｗｏｒｋ）を意味する。
【００２４】
例として、以下を想定する。
−ＵＥは、ＰＬＭＮ−ＨからのＩＭＳＩを持つ。
−２Ｇまたは３Ｇのネットワーク：ＰＬＭＮ−Ｘ
−４Ｇ−ＬＴＥネットワーク：ＰＬＭＮ−ＡおよびＰＬＭＮ−Ｂ
−４Ｇ−ＬＴＥ  ＰＬＭＮ−Ａ事業者および４Ｇ−ＬＴＥ  ＰＬＭＮ−Ｂ事業者の両方は、ＰＬＭＮ−Ｈ事業者とのローミング協定を持つ。つまり、ＵＥが４Ｇ−ＬＴＥ  ＰＬＭＮ−Ａおよび４Ｇ−ＬＴＥ  ＰＬＭＮ−Ｂによって包含される領域で移動している場合、同じ優先度でＡまたはＢのいずれかを選択することができる。
−ＰＬＭＮ−ＡまたはＰＬＭＮ−Ｂのローマ（ｒｏａｍｅｒ）について、２Ｇ／３Ｇ  ＰＬＭＮ−Ｘは同等なＰＬＭＮである。
【００２５】
ＰＬＭＮ−ＸのＵＥが４Ｇ−ＬＴＥ  ＰＬＭＮ−Ａで（ＰＬＭＮ−Ｂでそれぞれ）移動している場合、ＣＳサービスに対するＣＳＦＢ手順により、ＵＥが２Ｇ／３Ｇ  ＰＬＭＮ−Ｘに移るようにトリガーされる。ＣＳサービスの終わりに、２Ｇ／３Ｇ  ＰＬＭＮ−Ｘネットワークは、ＬＴＥにＵＥを送り返す必要があり、ＵＥは４Ｇ−ＬＴＥ  ＰＬＭＮ−Ａに（ＰＬＭＮ−Ｂにそれぞれ）、つまり、元々の４Ｇ−ＬＴＥ  ＰＬＭＮに送り返されるほうがよい。
【００２６】
しかし、２Ｇ／３Ｇ  ＰＬＭＮ−Ｘで移動しているＵＥについて、４Ｇ−ＬＴＥ  ＰＬＭＮ−Ａおよび４Ｇ−ＬＴＥ  ＰＬＭＮ−Ｂの両方が同等の可能性があり、この結果として、２Ｇ／３Ｇ  ＰＬＭＮ−Ｘネットワークは、これら２つの４Ｇ−ＬＴＥ  ＰＬＭＮの間で選択基準を持たない。したがって、既存のメカニズムでは、２Ｇ／３Ｇ  ＰＬＭＮ−Ｘは、ＵＥが元々いた４Ｇ−ＬＴＥ  ＰＬＭＮとは異なる４Ｇ−ＬＴＥ  ＰＬＭＮを選択する可能性がある。
【００２７】
解決するべき問題は以下のとおりである。
−ＣＳ−ＶＰＬＭＮからオリジナルの４Ｇ−ＬＴＥ  ＰＬＭＮと異なる４Ｇ−ＬＴＥ  ＰＬＭＮへの移動性は、（通常、２Ｇ−ＳＧＳＮノードは、ＰＳハンドオーバをサポートせず、ＵＥデータ・セッションは、ＵＥがアクティブなＣＳ呼と２Ｇ有効範囲に留まる限り保留されるだけであるため、ＣＳＦＢ手順により、２Ｇ／３Ｇ  ＰＬＭＮ−Ｘの２Ｇ有効範囲にＵＥを送ったときに、３Ｇ  ＰＬＭＮ−Ｘに属するＳＧＳＮから、またはオリジナルの４Ｇ−ＬＴＥ  ＰＬＭＮのＭＭＥから）その（新しい）４Ｇ−ＬＴＥ  ＰＬＭＮへの事業者間ＰＳ（パケット交換：Ｐａｃｋｅｔ  Ｓｗｉｔｃｈｅｄ）移動性を生じさせるであろう。    −後者の場合（最初の４Ｇ−ＬＴＥ  ＰＬＭＮ（ＰＬＭＮ−Ａ）のＭＭＥから別の４Ｇ−ＬＴＥ  ＰＬＭＮ（ＰＬＭＮ−Ｂ）のＭＭＥへのＵＥデータ・セッションの移動性）、ＰＬＭＮ間の移動性はめったに展開されず、特に、４Ｇ−ＬＴＥ  ＰＬＭＮ−Ａおよび４Ｇ−ＬＴＥ  ＰＬＭＮ−Ｂは、一般的に競合他社であるため、そのようなＰＬＭＮ間の移動性は可能ではないだろう。これが意味するのは、ＬＴＥに戻ると、オリジナルの４Ｇ−ＬＴＥ  ＰＬＭＮを通じて取得されたＩＰ接続の損失（ＩＰアドレスの損失）の結果として、ＵＥは、新しい４Ｇ−ＬＴＥ  ＰＬＭＮのＭＭＥに再度接続することを強制されるであろうということである。これは、進行中のＩＭＳ（データ）セッションでは特に影響を受けやすい場合がある。それらは、さらにＵＥがＩＭＳ登録手順を再開するニーズにより中断されるためである。
これにより、ネットワーク（ＰＳコア・ネットワークおよびＩＭＳ）だけでなく無線を通じて、多くの役に立たないシグナリングが生じ、エンド・ユーザの経験が悪化するであろう。
−何らかの理由によりＵＥが、ＣＳ呼の後にＥ−ＵＴＲＡＮにおいて優先度のより低いＰＬＭＮ（たとえば４Ｇ−ＬＴＥ  ＰＬＭＮ−Ｂ）に登録した場合、より優先度の高いＰＬＭＮのバックグラウンド・スキャンにより、ＵＥは最高優先度のＰＬＭＮ（たとえば４Ｇ−ＬＴＥ  ＰＬＭＮ−Ａ）に戻されるであろう。バックグラウンド・スキャン間隔は、ＨＰＬＭＮ事業者が６分から８時間の範囲で異なる値を構成していなければ、６０分のデフォルト値を持つ。このため、ＵＥがＣＳＦＢのために他のＰＬＭＮを選択した場合、戻る方法を見つけるまでに時間がかかる場合がある。その結果：
−ユーザは、しばらくの間、Ｅ−ＵＴＲＡＮにおいて優先度のより低いＰＬＭＮを使用することがあり、これはユーザにとって課金への影響がある可能性がある（たとえば、ユーザが事業者グループに関係するＰＬＭＮに優先的にリダイレクトされない場合）。
−優先度のより高いＰＬＭＮのバックグラウンド・スキャンは、結局新たなＰＬＭＮ間パケットの移動性を生じ、結果として、更なるネットワーク・シグナリングおよびユーザ体験の影響をもたらすであろう。
【００２８】
ＣＳＦＢ呼の毎後に、すべてのインバウンドのローマ（ｒｏａｍｅｒ）に対して長時間繰り返されることで、問題に対処することが必須になる。
【００２９】
ＢＳＣ／ＲＮＣは、現在の標準では、ＣＳＦＢ呼の前に、ＵＥによって選択されたＰＬＭＮを知ることができないため、現在、そのような問題への解決策はない（ローマ（ｒｏａｍｅｒ）は、ＬＴＥ内の任意のＰＬＭＮ事業者ネットワーク上にいる可能性がある）。
【００３０】
本発明の実施形態は、（ＣＳＦＢ手順をトリガーした１組のＣＳドメイン・サービスの終わりに）レガシ（２Ｇ／３Ｇ）無線リソースがＵＥについて解放されたときに、ＵＥにサービスを提供するＲＡＮノード（ＢＳＳ／ＲＮＣ）に（ＣＳＦＢ手順の前に）Ｅ−ＵＴＲＡＮを通じてＵＥにサービスを提供していたＰＬＭＮの識別情報を提供することに依存している。ＣＳサービスが終了するときにＵＥにサービスを提供しているＲＡＮは、ＣＳＦＢ手順の前にＵＥがキャンプしていたＰＬＭＮ内のＥ−ＵＴＲＡＮに向けてＵＥをプッシュして戻すために、この情報を活用する。
【００３１】
これには、以下の３ステップが必要な場合がある。
１．ＵＥのＣＳサービス（呼）を固定および制御するＭＳＣ／ＶＬＲは、Ｅ−ＵＴＲＡＮを通じてＵＥにサービスを提供していたＰＬＭＮの識別情報を通知される。
−このステップを実行する方法については、さらに詳述する。
２．ＣＳＦＢ手順に従ってＵＥに送られたＣＳサービスの終わりに（実際にはレガシ（２Ｇ／３Ｇ）無線リソースがＵＥについて解放されるときに）、Ｅ−ＵＴＲＡＮを通じてＵＥにサービスを提供していたＰＬＭＮの識別情報は、そのときにＵＥにサービスを提供しているＲＡＮノード（ＢＳＳ／ＲＮＳ）へとＣＳサービス（呼）を固定および制御するＭＳＣ／ＶＬＲによって転送される。
３．ＣＳサービスが終了するときにＵＥにサービスを提供しているＲＡＮは、ＣＳＦＢ手順の前にＵＥがキャンプしていたＰＬＭＮ内のＥ−ＵＴＲＡＮに向けてＵＥをプッシュして戻すために、この情報を活用する。
【００３２】
１および２の可能な代替案として、ＣＳＦＢ手順の後にＵＥにサービスを提供しているＲＡＮノード（ＢＳＳ／ＲＮＳ）は、たとえば、ＲＲＣ接続の確立手順の間にアクセス層シグナリングを介して、後者がＣＳＦＢ手順の間にレガシ（２Ｇ／３Ｇ）セルにアクセスするときに、Ｅ−ＵＴＲＡＮを通じてＵＥにサービスを提供していたＰＬＭＮの識別情報をＵＥから直接的に取得する。
【００３３】
Ｅ−ＵＴＲＡＮを通じてＵＥにサービスを提供していたＰＬＭＮの識別情報をＵＥのＣＳサービスを固定および制御するＭＳＣ／ＶＬＲに通知することは、以下のように実行される。
−ＵＥに関連するＳＧｓリンクをサポートするＶＬＲは、Ｅ−ＵＴＲＡＮを通じて、（ＳＧｓを通じて）ＭＭＥから、ＵＥにサービスを提供するＰＬＭＮの識別情報を受信する。
−ＣＳＦＢ手順の間に、この情報は、このＵＥについてＣＳＦＢサービス（たとえば呼）を固定および制御するＭＳＣ／ＶＬＲに渡される。
−情報のこの転送は一般的にローカルである。一般的に、ＵＥについてＣＳＦＢサービス（たとえば呼）を固定および制御するＭＳＣ／ＶＬＲは、また、このＵＥに関連するＳＧｓリンクをサポートするＶＬＲをホストするためである。
−しかし、一部の場合において、これらのノードは、たとえば以下の場合に異なる。
−ＭＴ（モバイル着信：Ｍｏｂｉｌｅ  Ｔｅｒｍｉｎａｔｅｄ）ＣＳＦＢ手順について、ＵＥがＣＳＦＢページングに応答する２Ｇ／３Ｇレガシ・セルは、このＵＥに関連するＳＧｓリンクをサポートするのとは別のＭＳＣ／ＶＬＲによってサービスを提供される。
−ＭＯ（モバイル発信：Ｍｏｂｉｌｅ  Ｏｒｉｇｉｎａｔｅｄ）のＣＳＦＢ手順について、ＵＥがＣＳＦＢ呼を開始するレガシ・セルは、このＵＥに関連するＳＧｓリンクをサポートするのとは別のＭＳＣ／ＶＬＲによってサービスを提供される。
これらの場合、Ｅ−ＵＴＲＡＮを通じてＵＥにサービスを提供していた４Ｇ−ＬＴＥ  ＰＬＭＮの識別情報をＵＥのＣＳサービスを固定および制御するＭＳＣ／ＶＬＲに通知することは、以下の２つの異なる方法で実行することができる。
−選択肢Ａ：ＵＥに関連するＳＧｓリンクをサポートするＭＳＣ／ＶＬＲは、ＭＳＣ間シグナリングを介して、このＵＥに対するＣＳＦＢサービスを固定および制御するＭＳＣ／ＶＬＲに、この情報（Ｅ−ＵＴＲＡＮを通じてＵＥにサービスを提供するＰＬＭＮの識別情報）を提供する：ＣＳＦＢ手順の前にＵＥにサービスを提供していた４Ｇ−ＬＴＥ  ＰＬＭＮのＰＬＭＮ−Ｉｄは、ＭＯ呼に対してＵＥによってトリガーされたロケーション・エリア更新手順の間、またはＭＴ呼に対してＭＴＲＦ手順の間に、ＳＧｓリンクをサポートするソースＭＳＣ／ＶＬＲから、ＵＥのＣＳサービスを固定および制御するターゲットＭＳＣ／ＶＬＲに送られる。
−選択肢Ｂ：ＵＥは、ＮＡＳ（非アクセス層：Ｎｏｎ−Ａｃｃｅｓｓ  Ｓｔｒａｔｕｍ）シグナリングを介してＣＳＦＢサービス（たとえば呼）を固定および制御するＭＳＣ／ＶＬＲに、Ｅ−ＵＴＲＡＮを通じてＵＥにサービスを提供していた４Ｇ−ＬＴＥ  ＰＬＭＮの識別情報を送信する。
【００３４】
上に記述したステップは、以下のように実装することができる（ここで、ＰＬＭＮ−ＩＤまたはＰＬＭＮ−Ｉｄなどの用語は、特に３ＧＰＰ技術仕様書から知られているＰＬＭＮ識別子を意味している）。
１．ＵＥのＣＳＦＢサービス（たとえば呼）を固定および制御するＭＳＣ／ＶＬＲは、以下の手順に従って、ＵＥにサービスを提供する４Ｇ−ＬＴＥ  ＰＬＭＮのＰＬＭＮ−Ｉｄを通知される。
ａ．ＵＥに対するＳＧｓリンクを終端するＭＳＣ／ＶＬＲは、ＳＧｓを通じて４Ｇ−ＬＴＥ  ＰＬＭＮ  ＩＤを受信する。これには、以下の情報要素を使用する。
−ＭＴ（モバイル終端）サービスについて：以下に示す、または下記のとおりのモバイル発信のサービスと同様。ＣＳＦＢ手順の間にＳＧｓを通じてＭＳＣ／ＶＬＲによってＭＭＥから受信される、ＳＧｓサービス要求（Ｓｅｒｖｉｃｅ  Ｒｅｑｕｅｓｔ）メッセージのＴＡＩ情報要素または／およびＥ−ＣＧＩ情報要素内にすでに存在する４Ｇ−ＬＴＥ  ＰＬＭＮ  ＩＤ（３ＧＰＰ  ２３．２７２条項７および３ＧＰＰ  ２９．１１８条項８．１７を参照）。これは、既存の手順に対応する。
−ＭＯ（モバイル発信）サービスについて：ＳＧｓを通じてＭＳＣ／ＶＬＲによってＭＭＥから受信される、ＳＧｓ  ＬＯＣＡＴＩＯＮ−ＵＰＤＡＴＥ−ＲＥＱＵＥＳＴメッセージのＴＡＩ情報要素または／およびＥ−ＣＧＩ情報要素内にすでに存在する４Ｇ−ＬＴＥ  ＰＬＭＮ  ＩＤ  ＰＬＭＮ  ＩＤ。ＭＭＥが再度発行するべき本発明の実施形態の一部として、ＵＥにサービスを提供するＥ−ＵＴＲＡＮ  ＰＬＭＮのＰＬＭＮ−Ｉｄが変化するときに、ＳＧｓを通じてＬＯＣＡＴＩＯＮ−ＵＰＤＡＴＥ−ＲＥＱＵＥＳＴを追加するために必要である。
ｂ．ＳＧｓリンクを終端するＭＳＣ／ＶＬＲが、ＵＥのＣＳＦＢサービスを固定および制御するＭＳＣ／ＶＬＲである場合、後者は、したがって、ＣＳＦＢ手順の前にＵＥにサービスを提供していたＥ−ＵＴＲＡＮ  ＰＬＭＮのＰＬＭＮ−Ｉｄをローカルに通知される。
ｃ．ＣＳＦＢサービス（たとえば呼）を固定および制御するＭＳＣ／ＶＬＲが、このＵＥに関連するＳＧｓリンクをサポートするＶＬＲとは異なる場合、ＵＥに対するＣＳＦＢサービスを固定および制御するＭＳＣ／ＶＬＲは、以下のように通知される。
−ＭＴ（モバイル終端）サービスについて： 
−４Ｇ−ＬＴＥ  ＰＬＭＮ  ＩＤを含む新しい情報要素が、ＳＧｓインターフェース手順をサポートするＭＳＣ／ＶＬＲから、ＣＳサービスを固定および制御するＭＳＣ／ＶＬＲへの、ＭＡＰ提供ローミング番号要求（ＭＡＰ  Ｐｒｏｖｉｄｅ  Ｒｏａｍｉｎｇ  Ｎｕｍｂｅｒ  Ｒｅｑｕｅｓｔ）（３ＧＰＰ  ＴＳ２３．０１８に記述されているＭＴＲＦ手順）に追加される。この新しい情報要素は、選択肢Ａに対する本発明の実施形態の一部として規定される。
−４Ｇ−ＬＴＥ  ＰＬＭＮ  ＩＤを含み、ＮＡＳシグナリングを通じてＵＥからＭＳＣ／ＶＬＲによって受信される新しい情報要素（３ＧＰＰ  ２４．００８）。この新しい情報要素は、選択肢Ｂに対する本発明の実施形態の一部として規定され、位置更新要求（Ｌｏｃａｔｉｏｎ  Ｕｐｄａｔｉｎｇ  Ｒｅｑｕｅｓｔ）メッセージのＣＳＦＢ指示と共に送信される（３ＧＰＰ  ２４．００８条項９．２．１５および条項１０．５．３．１４の「Ａｄｄｉｔｉｏｎａｌ  Ｕｐｄａｔｅ  Ｐａｒａｍｅｔｅｒｓ」のＣＳＦＢ指示を参照）。
注：ＵＥがＬＡの変更のために最初にＬＡＵ手順を開始する必要がある場合、この位置更新の要求（Ｌｏｃａｔｉｏｎ  Ｕｐｄａｔｅ  Ｒｅｑｕｅｓｔ）は、実際にはページング応答として機能する。
−ＭＯ（モバイル発信）サービスについて：
−選択肢Ａについて：ＳＧｓインターフェース手順をサポートするＭＳＣ／ＶＬＲから、ＣＳサービスを固定および制御するＭＳＣ／ＶＬＲへのＭＡＰ＿ＳＥＮＤ＿ＩＤＥＮＴＩＦＩＣＡＴＩＯＮ応答における４Ｇ−ＬＴＥ  ＰＬＭＮ  ＩＤを含む新しい情報要素。この新しい情報要素は、選択肢Ａに対する本発明の実施形態の一部として規定される。
−選択肢Ｂについて：４Ｇ−ＬＴＥ  ＰＬＭＮ  ＩＤを含み、ＮＡＳ（３ＧＰＰ  ２４．００８）シグナリングを通じてＵＥからＭＳＣ／ＶＬＲによって受信される新しい情報要素。この新しい情報要素は本発明の実施形態の一部として規定され、ＣＭ  Ｓｅｒｖｉｃｅ  Ｒｅｑｕｅｓｔメッセージ（３ＧＰＰ  ２４．００８条項９．２．９および条項１０．５．３．１４の「Ａｄｄｉｔｉｏｎａｌ  Ｕｐｄａｔｅ  Ｐａｒａｍｅｔｅｒｓ」のＣＳＦＢ指示を参照）および位置更新要求メッセージ（３ＧＰＰ  ２４．００８条項９．２．１５および条項１０．５．３．１４の「Ａｄｄｉｔｉｏｎａｌ  Ｕｐｄａｔｅ  Ｐａｒａｍｅｔｅｒｓ」のＣＳＦＢ指示を参照）でＣＳＦＢ指示と共に送信される。
【００３５】
ＵＥとの信号接続が確立される限り、ＣＳＦＢサービス（たとえば呼）を固定および制御するＭＳＣ／ＶＬＲは、受信された４Ｇ−ＬＴＥ  ＰＬＭＮ  ＩＤ情報を格納する。
【００３６】
ＣＳＦＢサービスを固定および制御するＭＳＣ／ＶＬＲは、ターゲットＭＳＣノードがＣＳ呼の解放時にＲＡＮノードに４Ｇ−ＬＴＥ  ＰＬＭＮ  ＩＤを提供することを可能にするために、次のＭＳＣ間ハンドオーバの間にターゲットＭＳＣに４Ｇ−ＬＴＥ  ＰＬＭＮ  ＩＤを転送する（本発明の実施形態の一部である追加）。
【００３７】
２．ＣＳＦＢサービス（たとえば呼）を固定および制御するこのＭＳＣ／ＶＬＲは、既存のＣＳＦＢ呼指示と共に、ＵＥについてＣＳサービスが終了したときに、ＵＥにサービスを提供するＢＳＣ／ＲＮＣに送信されたＢＳＳＭＡＰクリア・コマンド（ＢＳＳＭＡＰ  Ｃｌｅａｒ  Ｃｏｍｍａｎｄ）（３ｇｐｐ  ４８．００８条項３．２．１．２１を参照）／ＲＡＮＡＰ  ｌｕ解放コマンド（３ｇｐｐ  ２５．４１３条項９．１．７を参照）で、（本発明の実施形態の一部として規定された）新しい情報要素内で格納された４Ｇ−ＬＴＥ  ＰＬＭＮ  ＩＤ情報を提供する（それぞれ３ｇｐｐ  ４８．００８および２５．４１３の「ＣＳＦＢ  ｉｎｄｉｃａｔｉｏｎ」または「Ｅｎｄ  ｏｆ  ＣＳＦＢ」のＩＥ）。
【００３８】
３．ＢＳＣ／ＲＮＣは、その（ソース）４Ｇ−ＬＴＥ  ＰＬＭＮに向けてＵＥをリダイレクトする命令をＵＥに提供するために、４Ｇ−ＬＴＥ  ＰＬＭＮ  ＩＤ情報を使用する。これらの命令は、以下を提供することに対応することができる。
−たとえば、ＧＥＲＡＮの場合、ＲＲ  ＣＨＡＮＮＥＬ  ＲＥＬＥＡＳＥメッセージの個々の優先度の情報要素を介して、およびＵＴＲＡＮの場合にはＲＲＣ接続を解放する前に、ＲＲＣ接続解放メッセージのリダイレクション情報の情報要素を介して、またはＲＲＣ  ＵＴＲＡＮ移動性情報メッセージの専用の優先情報の情報要素を介して、ＵＥがキャンプを試みるべきであるターゲットＬＴＥの周波数；
−対応する（ソース）４Ｇ−ＬＴＥ  ＰＬＭＮの識別情報を提供する同じメッセージ内の（本発明の実施形態の一部として規定された）新しい情報要素による拡張可能性。
【００３９】
上記の既存のＲＲ  ＣＨＡＮＮＥＬ  ＲＥＬＥＡＳＥおよびＲＲＣ接続解放メッセージは、セル再選択をトリガーし、したがって、ターゲットＥ−ＵＴＲＡＮセルは、登録済みのＰＬＭＮ、または等価なＰＬＭＮ内にのみ存在できることに注意されたい。等価なＰＬＭＮのリストは、既存のＢＳＳＭＡＰ／ＲＡＮＡＰメッセージで受信されたＳＮＡアクセス情報からＢＳＣ／ＲＮＣノードによって得られるか、またはローカルで構成される。
【００４０】
４．１および２の可能な代替案として、ＣＳＦＢ手順の後にＵＥにサービスを提供するＲＡＮノード（ＢＳＳ／ＲＮＳ）は、ＣＳＦＢ手順の間に後者がレガシ（２Ｇ／３Ｇ）セルにアクセスするときに、Ｅ−ＵＴＲＡＮを通じてＵＥにサービスを提供していたＰＬＭＮの識別情報をＵＥから直接的に取得する。たとえば、ＵＥは、ＲＲＣ接続の確立手順の間に（本発明の実施形態の一部として規定された）新しい情報要素内の４Ｇ−ＬＴＥ  ＰＬＭＮ  ＩＤ情報を提供する。４Ｇ−ＬＴＥ  ＰＬＭＮ  ＩＤは、また、ターゲットＲＡＮノードがＣＳ呼の解放時に４Ｇ−ＬＴＥ  ＰＬＭＮへとＵＥをリダイレクトすることを可能にするために、ハンドオーバの間に（たとえばＲＡＮの透過的なコンテナを介して）ＲＡＮノードの間で転送される（本発明の実施形態の一部である追加）。
【００４１】
図２から図５は、上記の実施形態の一部を示している。
【００４２】
これらの図は、ＣＳＦＢ手順の間のメッセージまたは情報の流れを示している。これらの図に示した異なるモバイル通信システムのエンティティは、ＵＥ、ＬＴＥ  ＲＡＮ、ＭＭＥ、ＳＧｓインターフェースを終端するＭＳＣ（（ＳＧｓ）ＭＳＣと表記）、ＣＳドメイン・サービスを固定および制御するＭＳＣ（アンカーＭＳＣと表記）、およびレガシＲＡＮを含む。これらの図は、また、ＬＴＥ  ＲＡＮおよびＭＭＥを含むＬＴＥ−ＰＬＭＮ、ならびに（ＳＧｓ）ＭＳＣ、アンカーＭＳＣ、およびレガシＲＡＮを含むレガシＰＬＭＮ（ＣＳ−ＰＬＭＮと表記）を示している。
【００４３】
図２は、アンカーＭＳＣが（ＳＧｓ）ＭＳＣである場合のＬＴＥ  ＰＬＭＮ−Ｉｄの転送のための実施形態を示している。
【００４４】
以下のステップについて、図２に示している。
−ＵＥは、ＭＭＥに接続要求（Ａｔｔａｃｈ  Ｒｅｑｕｅｓｔ）メッセージを送信する（組み合わせたＩＭＳＩ−ＥＰＳ  Ａｔｔａｃｈ）。
−ＭＭＥは、（ＳＧｓ）ＭＳＣにＳＧｓ−Ｌｏｃａｔｉｏｎ−Ｕｐｄａｔｅ−Ｒｅｑｕｅｓｔメッセージを送信する。このメッセージは、ＬＴＥ  ＰＬＭＮ−Ｉｄを含む。
−アンカーＭＳＣは、ＬＴＥ  ＰＬＭＮ−Ｉｄを格納する。
−その後、ＣＳ−ＰＬＭＮのレガシ有効範囲を通じてキャンプするＵＥを含む、ＣＳＦＢ関係の呼のセットアップ。
−ＣＳＦＢ呼を継続する。
−ＣＳドメイン・サービスを終了する決定。
−アンカーＭＳＣは、レガシＲＡＮに、ＲＡＮリソースを解放するコマンドを送信する。このメッセージは、ＬＴＥ  ＰＬＭＮ−Ｉｄを含む。
−リソースを解放し、ＬＴＥ  ＰＬＭＮにＵＥをプッシュするために、レガシＲＡＮは、ＵＥにコマンドを送信する。
−ＵＥは、レガシＲＡＮ要求に従いＬＴＥ  ＰＬＭＮにキャンプする。
【００４５】
図３は、アンカーＭＳＣが（ＳＧｓ）ＭＳＣとは異なる場合のＬＴＥ  ＰＬＭＮ−Ｉｄの転送のための実施形態を示している。図３では、ＰＬＭＮ−ＩｄはＵＥによって提供される。
【００４６】
以下のステップについて、図３に示している。
−ＵＥは、ＭＭＥに接続要求メッセージ（組み合わせたＩＭＳＩ−ＥＰＳ  Ａｔｔａｃｈ）を送信する。
−ＭＭＥは、（ＳＧｓ）ＭＳＣにＳＧｓ−Ｌｏｃａｔｉｏｎ−Ｕｐｄａｔｅ−Ｒｅｑｕｅｓｔメッセージを送信する、このメッセージは、ＬＴＥ  ＰＬＭＮ−Ｉｄを含む。
−（ＳＧｓ）ＭＳＣは、ＬＴＥ  ＰＬＭＮ−Ｉｄを格納する。
−その後、ＣＳ−ＰＬＭＮのレガシ有効範囲を通じてキャンプしているＵＥを含む、ＣＳＦＢ関係の呼のセットアップ。
−ＣＳＦＢ手順の一部として、３ＧＰＰ  ＴＳ２４．００８により、ＵＥは、他の（アンカー）ＭＳＣに送られ、ＵＥは、それが他のロケーション・エリア（ＬＡ：Ｌｏｃａｔｉｏｎ  Ａｒｅａ）によってサービスが提供されることを検出し、アンカーＭＳＣへと位置更新要求を送信する。このメッセージは、ＣＳＦＢ指示と共にＬＴＥ  ＰＬＭＮ−Ｉｄを含む。
−アンカーＭＳＣは、ＬＴＥ  ＰＬＭＮ−Ｉｄを格納する。
−ＣＳＦＢ呼が継続する。
−ＣＳドメイン・サービスを終了する決定。
−アンカーＭＳＣは、レガシＲＡＮに、ＲＡＮリソースを解放するコマンドを送信する。このメッセージは、ＬＴＥ  ＰＬＭＮ−Ｉｄを含む。
−レガシＲＡＮは、ＵＥに、リソースを解放し、かつＬＴＥ  ＰＬＭＮへとＵＥをプッシュするコマンドを送信する。
−ＵＥは、レガシＲＡＮ要求に従いＬＴＥ  ＰＬＭＮにキャンプする。
【００４７】
図４は、アンカーＭＳＣが（ＳＧｓ）ＭＳＣとは異なる場合のＬＴＥ  ＰＬＭＮ−Ｉｄの転送のための実施形態を示している。図４では、ＭＴＲＦ手順の一部として（ＳＧｓ）ＭＳＣによってＰＬＭＮ−Ｉｄが提供される（モバイル終端呼）。
【００４８】
以下のステップについて、図４に示している。
−ＵＥは、ＭＭＥに接続要求メッセージを送信する（組み合わせたＩＭＳＩ−ＥＰＳ  Ａｔｔａｃｈ）
−ＭＭＥは、（ＳＧｓ）ＭＳＣにＳＧｓ−Ｌｏｃａｔｉｏｎ−Ｕｐｄａｔｅ−Ｒｅｑｕｅｓｔメッセージを送信する。このメッセージは、ＬＴＥ  ＰＬＭＮ−Ｉｄを含む。
−（ＳＧｓ）ＭＳＣは、ＬＴＥ  ＰＬＭＮ−Ｉｄを格納する。
−その後、ＣＳ−ＰＬＭＮのレガシ有効範囲を通じてキャンプしているＵＥを含む、ＣＳＦＢ関係の呼のセットアップ。
−ＣＳＦＢ手順の一部として、ＵＥは、ＳＧｓを終端するＭＳＣとは別の（アンカー）ＭＳＣに送られる。ＭＴＲＦ手順が開始される（３ＧＰＰ  ＴＳ２３．０１８に記載の手順）。ＭＴＲＦ手順の一部として、ＳＧＳ  ＭＳＣは、アンカーＭＳＣへと呼を伝播する（この目的のために、アンカーＭＳＣへの提供ローミング番号（Ｐｒｏｖｉｄｅ  Ｒｏａｍｉｎｇ  Ｎｕｍｂｅｒ）−ＰＲＮ−ＭＡＰメッセージを使用）。
−（ＳＧｓ）ＭＳＣは、アンカーＭＳＣへとＭＡＰ提供番号要求（ＭＡＰ  Ｐｒｏｖｉｄｅ  Ｎｕｍｂｅｒ  Ｒｅｑｕｅｓｔ）メッセージを送信する。このメッセージは、ＬＴＥ  ＰＬＭＮ−Ｉｄを含む。
−アンカーＭＳＣは、ＬＴＥ  ＰＬＭＮ−Ｉｄを格納する。
−ＭＴＲＦ手順の終了。ＣＳＦＢ呼は継続する。
−ＣＳドメイン・サービスを終了する決定。
−アンカーＭＳＣは、レガシＲＡＮに、ＲＡＮリソースを解放するコマンドを送信する。このメッセージは、ＬＴＥ  ＰＬＭＮ−Ｉｄを含む。
−レガシＲＡＮは、ＵＥに、リソースを解放し、ＬＴＥ  ＰＬＭＮへとＵＥをプッシュするコマンドを送信する。
−ＵＥは、レガシＲＡＮ要求に従いＬＴＥ  ＰＬＭＮにキャンプする。
【００４９】
図５は、アンカーＭＳＣが（ＳＧｓ）ＭＳＣとは異なる場合のＬＴＥ  ＰＬＭＮ−Ｉｄの転送のための実施形態を示している。図５では、ＭＡＰ−Ｓｅｎｄ−Ｉｄｅｎｔｉｆｉｃａｔｉｏｎ  Ｒｅｓｐｏｎｓｅ手順の一部として（ＳＧｓ）ＭＳＣによってＰＬＭＮ−Ｉｄが提供される。
【００５０】
以下のステップについて、図５に示している。
−ＵＥは、ＭＭＥに接続要求メッセージ（組み合わせたＩＭＳＩ−ＥＰＳ  Ａｔｔａｃｈ）を送信する。
−ＭＭＥは、（ＳＧｓ）ＭＳＣにＳＧｓ−Ｌｏｃａｔｉｏｎ−Ｕｐｄａｔｅ−Ｒｅｑｕｅｓｔメッセージを送信する。このメッセージは、ＬＴＥ  ＰＬＭＮ−Ｉｄを含む。
−（ＳＧｓ）ＭＳＣは、ＬＴＥ  ＰＬＭＮ−Ｉｄを格納する。
−その後、ＣＳ−ＰＬＭＮのレガシ有効範囲を通じてキャンプしているＵＥを含む、ＣＳＦＢ関係の呼のセットアップ。
−ＣＳＦＢ手順の一部として、ＵＥは、別の（アンカー）ＭＳＣに送られる。ＵＥが位置更新（Ｌｏｃａｔｉｏｎ  Ｕｐｄａｔｅ）を発行する場合（ＭＳＣの変更、よってロケーション・エリアＬＡの変更）、アンカーＭＳＣは、ＵＥのＩＭＳＩを得るために、ＵＥ（（ＳＧｓ）ＭＳＣ）の「古い」ＭＳＣを接触することができる。その応答（ＭＡＰ−Ｓｅｎｄ−Ｉｄｅｎｔｉｆｉｃａｔｉｏｎ−Ｒｅｓｐｏｎｓｅ）で、すでに規定されている情報（ＵＥのＩＭＳＩなど）の（ＳＧｓ）ＭＳＣは、ＬＴＥ  ＰＬＭＮ−Ｉｄを提供する。
−（ＳＧｓ）ＭＳＣは、アンカーＭＳＣへとＭＡＰ−Ｓｅｎｄ−Ｉｄｅｎｔｉｆｉｃａｔｉｏｎ−Ｒｅｓｐｏｎｓｅメッセージを送信する。このメッセージは、ＬＴＥ  ＰＬＭＮ−Ｉｄを含む。
−アンカーＭＳＣは、ＬＴＥ  ＰＬＭＮ−Ｉｄを格納する。
−ＣＳＦＢ呼が継続する。
−ＣＳドメイン・サービスを終了する決定。
−アンカーＭＳＣは、レガシＲＡＮに、ＲＡＮリソースを解放するコマンドを送信する。このメッセージは、ＬＴＥ  ＰＬＭＮ−Ｉｄを含む。
−レガシＲＡＮは、ＵＥに、リソースを解放し、ＬＴＥ  ＰＬＭＮへとＵＥをプッシュするコマンドを送信する。
−ＵＥは、レガシＲＡＮ要求に従いＬＴＥ  ＰＬＭＮにキャンプする。
【００５１】
本発明の実施形態は、ＣＳＦＢ呼の前にＵＥが登録されたＰＬＭＮへのＣＳ呼の解放の後に、ＵＥを優先的にリダイレクトすることによって、エンド・ユーザに対するＩＰ接続の損失を回避することと、ＲＡＮ、ＰＳコア・ネットワーク、およびＩＭＳにおける重要なシグナリング・オーバヘッド、及び不良なエンド・ユーザ認識を防ぐこととを含む、多くの利点を提供する。
【００５２】
本発明の実施形態は、インバウンドのローマ（ｒｏａｍｅｒ）に適用することができる。
【００５３】
一態様では、進化型パケット・システムＥＰＳで回線交換ＣＳフォールバックをサポートするための方法が提供される。
【００５４】
様々な組み合わせにより、単独または組み合わせて取ることができる以下の実施形態を含む、様々な実施形態を提供することができる。
【００５５】
一実施形態では、前述のサポートは、ＣＳドメイン・サービスにアクセスするために進化型無線アクセス・ネットワークＲＡＮからレガシＲＡＮにユーザ機器ＵＥを移し、前述のＣＳドメイン・サービスの終わりに前述のレガシＲＡＮから前述の進化型ＲＡＮに前述のＵＥを戻すステップを含み、前述のサポートは、前述のレガシＲＡＮに前述のＵＥを移す前に前述の進化型ＲＡＮを通じて前述のＵＥにサービスを提供していたＰＬＭＮ内の前述の進化型ＲＡＮに前述のＵＥを戻すステップを含む。
【００５６】
一実施形態では、前述の方法は、
−基地局制御装置ＢＳＣまたは無線ネットワーク制御装置ＲＮＣなどのレガシＲＡＮノードが、前述のＰＬＭＮを識別する情報を取得する前述のＣＳドメイン・サービスの終わりに、前述のＵＥにサービスを提供する、ステップ
を含む。
【００５７】
一実施形態では、前述の方法は、
−基地局制御装置ＢＳＣまたは無線ネットワーク制御装置ＲＮＣなどのレガシＲＡＮノードが、前述の進化型ＲＡＮに前述のＵＥを戻すために前述のＰＬＭＮを識別する情報を使用して、前述のＣＳドメイン・サービスの終わりに、前述のＵＥにサービスを提供するステップ
を含む。
【００５８】
実施形態では、前述の方法は、
−ＳＧｓインターフェースを介してＭＳＣ／ＶＬＲと網間接続する移動性管理エンティティＭＭＥなど、ＣＳフォールバックの前述のサポートのためにＣＳドメイン・エンティティと網間接続するＥＰＳネットワーク・エンティティが、ＭＳＣ／ＶＬＲなど、前述のＣＳドメイン・エンティティに前述のＰＬＭＮを識別する情報を提供するステップ
を含む。
【００５９】
実施形態では、前述の方法は、
−ＳＧｓインターフェースを介して移動性管理エンティティＭＭＥと網間接続するＭＳＣ／ＶＬＲなど、ＣＳフォールバックの前述のサポートのためにＥＰＳネットワーク・エンティティと網間接続するＣＳドメイン・エンティティが、前述のＣＳドメイン・サービスを固定および制御するＭＳＣ／ＶＬＲなど、ＣＳドメイン・エンティティに前述のＰＬＭＮを識別する情報を提供するステップ
を含む。
【００６０】
実施形態では、前述の方法は、
−ＳＧｓインターフェースを介して移動性管理エンティティＭＭＥと網間接続するＭＳＣ／ＶＬＲなど、ＣＳフォールバックの前述のサポートのためにＥＰＳネットワーク・エンティティと網間接続するＣＳドメイン・エンティティが、前述のＣＳドメイン・サービスを固定および制御するＭＳＣ／ＶＬＲなど、ＣＳドメイン・エンティティに、前述のＰＬＭＮを識別する情報をローカルで渡すステップ
を含む。
【００６１】
実施形態では、前述の方法は、
−前述のＣＳドメイン・サービスを固定および制御するＭＳＣ／ＶＬＲなどのＣＳドメイン・エンティティが、前述のＰＬＭＮを識別する情報を格納するステップ
を含む。
【００６２】
実施形態では、前述の方法は、
−前述のＣＳドメイン・サービスを固定および制御するＭＳＣ／ＶＬＲなどのＣＳドメイン・エンティティが、基地局制御装置に送信されるＢＳＳＭＡＰクリア・コマンドまたは無線ネットワーク制御装置ＲＮＣに送信されるＲＡＮＡＰ  Ｉｕ解放コマンドなど、リソースを解放するための要求などのメッセージで、前述のＣＳドメイン・サービスの終わりに、前述のＵＥにサービスを提供する基地局制御装置ＢＳＣまたは無線ネットワーク制御装置ＲＮＣなどレガシＲＡＮノードに、前述のＰＬＭＮを識別する情報を送信するステップ
を含む。
【００６３】
実施形態では、前述の方法は、
−前述のＣＳドメイン・サービスを固定および制御するＭＳＣ／ＶＬＲなどのＣＳドメイン・エンティティが、次のＣＳドメイン・エンティティ間ハンドオーバの間に、ＵＥをサポートするレガシ・ターゲットＲＡＮノードにサービスを提供するＭＳＣ／ＶＬＲなど、ターゲットＣＳドメイン・エンティティに前述のＰＬＭＮを識別する情報を転送するステップ
を含む。
【００６４】
実施形態では、前述の方法は、
−前述のＵＥが、前述のＰＬＭＮを識別する情報を含む、モバイル発信ＭＯサービスもしくはモバイル終端ＭＴサービスの場合のロケーション・エリア更新、またはモバイル発信ＭＯサービスの場合のＣＭサービス要求など、前述のＣＳドメイン・サービスのセットアップの前に前述のＵＥによって送信されたＮＡＳシグナリング・メッセージで、前述のＣＳドメイン・サービスを固定および制御するＭＳＣ／ＶＬＲなどのＣＳドメイン・エンティティに送信するステップ
を含む。
【００６５】
実施形態では、前述の方法は、
−ＳＧｓインターフェースを介して移動性管理ＭＭＥと網間接続するＭＳＣ／ＶＬＲなど、ＣＳフォールバックの前述のサポートのためにＥＰＳネットワーク・エンティティと網間接続するＣＳドメイン・エンティティが、ＭＳＣ間移動の場合は、送信されたＭＡＰ送信識別応答（ＭＡＰ  Ｓｅｎｄ  Ｉｄｅｎｔｉｆｉｃａｔｉｏｎ  Ｒｅｓｐｏｎｓｅ）またはモバイル終端ＭＴサービスの場合は、モバイル終端ローミング転送（Ｍｏｂｉｌｅ  Ｔｅｒｍｉｎａｔｉｎｇ  Ｒｏａｍｉｎｇ  Ｆｏｒｗａｒｄｉｎｇ）ＭＴＲＦ手順の間に送信されたＭＡＰ提供ローミング番号要求などで、ＣＳドメイン・エンティティ間シグナリングを介して、前述のＣＳドメイン・サービスを固定および制御するＭＳＣ／ＶＬＲなどのＣＳドメイン・エンティティに前述のＰＬＭＮを識別する情報を提供するステップ
を含む。
【００６６】
実施形態では、前述の方法は、
−ＳＧｓインターフェースを介してＭＳＣ／ＶＬＲと網間接続する移動性管理エンティティＭＭＥなど、ＣＳフォールバックの前述のサポートのためにＣＳドメイン・エンティティと網間接続するＥＰＳネットワーク・エンティティが、前述の進化型ＲＡＮを通じて前述のＵＥにサービスを提供する前述のＰＬＭＮが変化した場合、ＭＳＣ／ＶＬＲなど前述のＣＳドメイン・エンティティに向けて位置更新要求を発行するステップ
を含む。
【００６７】
実施形態では、前述の方法は、
−前述のＵＥが、ＲＲＣ接続確立手順の間など、前述のＣＳドメイン・サービスのセットアップの前に前述のＵＥによって送信されたＡＳシグナリング・メッセージで、ＣＳＦＢ手順を伴うＣＳドメイン・サービスの間に、前述のＵＥにサービスを提供する、基地局制御装置ＢＳＣまたは無線ネットワーク制御装置ＲＮＣなど、レガシＲＡＮノードに前述のＰＬＭＮを識別する情報を送信する
を含む。
【００６８】
実施形態では、前述の方法は、
−前述のＵＥにサービスを提供する、基地局制御装置ＢＳＣまたは無線ネットワーク制御装置ＲＮＣなどレガシＲＡＮノードが、前述のＣＳドメイン・サービスの終わりに、前述のＰＬＭＮを識別する情報を使用して、基地局制御装置によって送信されたＲＲチャネル解放メッセージまたは無線ネットワーク制御装置によって送信されたＲＲＣ接続解放メッセージなど無線リソースを解放するための要求などのメッセージで、前述のＰＬＭＮに前述のＵＥをリダイレクトする命令を前述のＵＥに提供するステップ
を含む。
【００６９】
実施形態では、前述の方法は、
−前述のＵＥにサービスを提供する基地局制御装置ＢＳＣまたは無線ネットワーク制御装置ＲＮＣなどのレガシＲＡＮノードが、前述のＣＳドメイン・サービスの終わりに、ＲＲＣ接続を解放する前に基地局制御装置によって送信されたＲＲチャネル解放メッセージの個々の優先度などの情報要素、または無線ネットワーク制御装置によって送信されたＲＲＣ接続解放メッセージのリダイレクション情報、または無線ネットワーク制御装置によって送信されたＲＲＣ  ＵＴＲＡＮ移動性情報メッセージの専用の優先情報を介して、前述のＰＬＭＮの識別情報を提供する情報でＵＥが強化される可能性がある、前述のＰＬＭＮにキャンプを試みるべき目標周波数を前述のＵＥに提供するステップ
を含む。
【００７０】
他の態様では、そのような方法を実行するために構成されたモバイル通信システムのエンティティが提供され、前述のエンティティは、特に（しかし排他的でなく）
−ユーザ機器ＵＥ
−基地局制御装置ＢＳＣまたは無線ネットワーク制御装置ＲＮＣなどのレガシＲＡＮノード
−移動性管理エンティティＭＭＥなどのＥＰＳネットワーク・エンティティ
−ＭＳＣ／ＶＬＲなどのＣＳドメイン・エンティティ
を含む。
【００７１】
一態様では、進化型パケット・システムＥＰＳで回線交換ＣＳフォールバックをサポートするために、基地局制御装置ＢＳＣまたは無線ネットワーク制御装置ＲＮＣなどのレガシＲＡＮノードが提供され、前述のサポートは、ＣＳドメイン・サービスにアクセスするために進化型ＲＡＮからレガシＲＡＮにユーザ機器ＵＥを移し、前述のＣＳドメイン・サービスの終わりに前述のレガシＲＡＮから前述の進化型ＲＡＮに前述のＵＥを戻すステップを含む。
【００７２】
一実施形態では、前述のレガシＲＡＮノードは、前述のレガシＲＡＮに前述のＵＥを移す前に前述の進化型ＲＡＮを通じて前述のＵＥにサービスを提供していたＰＬＭＮ内の前述の進化型ＲＡＮに、前述のＣＳドメイン・サービスの終わりに、前述のＵＥを戻す前述のステップをサポートするように構成される。
【００７３】
一実施形態では、前述のレガシＲＡＮノードは、
−前述のＣＳドメイン・サービスを固定および制御するＭＳＣ／ＶＬＲなどのＣＳドメイン・エンティティから前述のＰＬＭＮを識別する情報を受信する
ように構成される。
【００７４】
一実施形態では、前述のレガシＲＡＮノードは、
−前述の進化型ＲＡＮに前述のＵＥを戻すために、前述のＰＬＭＮを識別する情報を使用する
ように構成される。
【００７５】
他の態様では、進化型パケット・システムＥＰＳでＣＳフォールバックをサポートするために、移動性管理エンティティＭＭＥなどのＥＰＳネットワーク・エンティティが提供され、前述のサポートは、ＣＳドメイン・サービスにアクセスするために進化型無線アクセス・ネットワークＲＡＮからレガシＲＡＮにユーザ機器ＵＥを移し、前述のＣＳドメイン・サービスの終わりに前述のレガシＲＡＮから前述の進化型ＲＡＮに前述のＵＥを戻すステップを含み、前述のＥＰＳネットワーク・エンティティは、ＳＧｓインターフェースを介してＭＳＣ／ＶＬＲなどのＣＳドメイン・エンティティと網間接続する。
【００７６】
一実施形態では、前述のＥＰＳネットワーク・エンティティは、前述のレガシＲＡＮに前述のＵＥを移す前に前述の進化型ＲＡＮを通じて前述のＵＥにサービスを提供していたＰＬＭＮ内の前述の進化型ＲＡＮに前述のＵＥを戻す前述のステップをサポートするように構成される。
【００７７】
一実施形態では、前述のＥＰＳネットワーク・エンティティは、
−前述のＣＳドメイン・エンティティに、前述のＰＬＭＮを識別する情報を提供する
ように構成される。
【００７８】
一実施形態では、前述のＥＰＳネットワーク・エンティティは、
−前述の進化型ＲＡＮを通じて前述のＵＥにサービスを提供する前述のＰＬＭＮが変化したときに、ＭＳＣ／ＶＬＲなど前述のＣＳドメイン・エンティティに向けて位置更新要求を発行する
ように構成される。
【００７９】
他の態様では、進化型パケット・システムＥＰＳでＣＳフォールバックをサポートするために、ＭＳＣ／ＶＬＲなどの回線交換ＣＳドメイン・エンティティが提供され、前述のサポートは、ＣＳドメイン・サービスにアクセスするために進化型無線アクセス・ネットワークＲＡＮからレガシＲＡＮにユーザ機器ＵＥを移し、前述のＣＳドメイン・サービスの終わりに前述のレガシＲＡＮから前述の進化型ＲＡＮに前述のＵＥを戻すステップを含み、前述のＣＳドメイン・エンティティは、ＳＧｓインターフェースを介して移動性管理エンティティＭＭＥなどＥＰＳネットワーク・エンティティと網間接続する。
【００８０】
一実施形態では、前述のＣＳドメイン・エンティティは、
前述のレガシＲＡＮに前述のＵＥを移す前に前述の進化型ＲＡＮを通じて前述のＵＥにサービスを提供していたＰＬＭＮ内の前述の進化型ＲＡＮに前述のＵＥを戻す前述のステップをサポートする
ように構成される。
【００８１】
一実施形態では、前述のＣＳドメイン・エンティティは、
−モバイル発信ＭＯ呼について、ロケーション・エリア更新手順の間に送信されたＭＡＰ送信識別応答など、ＣＳドメイン・エンティティ間シグナリングを介して、前述のＣＳドメイン・サービスを固定および制御するＭＳＣ／ＶＬＲなどＣＳドメイン・エンティティに、前述のＰＬＭＮを識別する情報を提供する
ように構成される。
【００８２】
一実施形態では、前述のＣＳドメイン・エンティティは、
−モバイル終端ＭＴ呼の場合に、モバイル終端ローミング転送ＭＴＲＦ手順の間に送信されたＭＡＰ提供ローミング番号要求などで、ＣＳドメイン・エンティティ間シグナリングを介して、前述のＣＳドメイン・サービスを固定および制御するＭＳＣ／ＶＬＲなどのＣＳドメイン・エンティティに、前述のＰＬＭＮを識別する情報を提供する
ように構成される。
【００８３】
他の態様では、進化型パケット・システムＥＰＳでＣＳフォールバックをサポートするために、ＭＳＣ／ＶＬＲなどの回線交換ＣＳドメイン・エンティティが提供され、前述のサポートは、ＣＳドメイン・サービスにアクセスするために進化型無線アクセス・ネットワークＲＡＮからレガシＲＡＮにユーザ機器ＵＥを移し、前述のＣＳドメイン・サービスの終わりに前述のレガシＲＡＮから前述の進化型ＲＡＮに前述のＵＥを戻すステップとを含み、前述のＣＳドメイン・エンティティは、前述のＣＳドメイン・サービスを固定および制御する。
【００８４】
一実施形態では、前述のＣＳドメイン・エンティティは、前述のレガシＲＡＮに前述のＵＥを移す前に前述の進化型ＲＡＮを通じて前述のＵＥにサービスを提供していたＰＬＭＮ内の前述の進化型ＲＡＮに前述のＵＥを戻すステップをサポートするように構成される。
【００８５】
一実施形態では、前述のＣＳドメイン・エンティティは、
−リソースを解放するための要求などのメッセージで、前述のＣＳドメイン・サービスの終わりに、前述のＵＥにサービスを提供する、基地局制御装置ＢＳＣまたは無線ネットワーク制御装置ＲＮＣなどのレガシＲＡＮノードに、前述のＰＬＭＮを識別する情報を送信する
ように構成される。
【００８６】
他の態様では、進化型パケット・システムＥＰＳで回線交換ＣＳフォールバックをサポートするためのユーザ機器ＵＥが提供され、前述のサポートは、ＣＳドメイン・サービスにアクセスするために進化型ＲＡＮからレガシＲＡＮに前述のＵＥを移し、前述のＣＳドメイン・サービスの終わりに前述のレガシＲＡＮから前述の進化型ＲＡＮに前述のＵＥを戻すステップを含む。
【００８７】
一実施形態では、前述のＵＥは、前述のレガシＲＡＮに前述のＵＥを移す前に前述の進化型ＲＡＮを通じて前述のＵＥにサービスを提供していたＰＬＭＮ内の前述の進化型ＲＡＮに、前述のＵＥを戻す前述のステップをサポートするように構成される。
【００８８】
当業者は、プログラムされたコンピュータによって様々な上記方法のステップを実行できることを容易に認識するであろう。本明細書において、一部の実施形態は、また、機械またはコンピュータで読み取り可能であり、装置で実行可能またはコンピュータで実行可能なプログラム命令をエンコードする、たとえば、デジタル・データ記憶メディアなど、プログラム記憶装置を包含することを意図するものであり、前述の命令は、上記方法のステップの一部またはすべてを実行する。プログラム記憶装置は、たとえば、デジタル・メモリ、磁気ディスクや磁気テープなどの磁気記憶メディア、ハードドライブ、または光学的に読み取り可能なデジタル・データ記憶メディアなどでもよい。また、実施形態は、上記方法の上述したステップを実行するようにプログラムされたコンピュータを包含することを意図するものである。
【図１】
2015536107.tif 000003
【図２】
2015536107.tif 000004
【図３】
2015536107.tif 000005
【図４】
2015536107.tif 000006
【図５】
2015536107.tif 000007
【国際調査報告】
2015536107.tif 000008
2015536107.tif 000009